(57)【要約】【課題】仕様の異なるＬＣＤに対して適用可能な画像出力装置を提供することを課題とする。【解決手段】ＣＰＵ３１は１８ビットの画像データを並列的に出力する。ＬＣＤ−Ｉ／Ｆ３２は、１８ビットの画像データを９ビットの画像データに分割し、９ビットの画像データを２回出力する。シフタ３３は、ＬＣＤ５の仕様にあわせて９ビットの画像データを出力する。ＬＣＤ５が入力端子Ｆ７〜Ｆ１５から９ビットの画像データを入力する仕様である場合には、９ビットの画像データを出力端子Ｅ７〜Ｅ１５から出力する。【選択図】        図４
2005031125.tif 000002
【特許請求の範囲】
【請求項１】
画像表示装置に対して画像データを出力する装置であって、
前記画像表示装置に表示させるＮビットの画像データを並列的に出力する出力手段と、
前記出力手段から出力されたＮビットの画像データを並列的に入力する入力端子と前記入力端子と１対１に対応した出力端子とを備えるシフタと、を備え、
前記シフタは、
Ｎビットの画像データを入力した際、前記入力端子と前記出力端子との対応関係を変更して、Ｎビットの画像データを前記画像表示装置に対して並列的に出力する手段、を含むことを特徴とする画像出力装置。
【請求項２】
画像表示装置に対して画像データを出力する装置であって、
前記画像表示装置に表示させるＮビットの画像データを並列的に出力する出力手段と、
前記画像表示装置とＫ本のデータバスで接続され、前記出力手段から出力されたＮビットの画像データを入力するとともに、入力したＮビットの画像データをＫ本のデータバスの中のいずれかのＮ本のデータバスを選択して並列的に出力するシフタと、を備えることを特徴とする画像出力装置。
【請求項３】
請求項２に記載の画像出力装置において、
前記シフタは、
Ｋ本のデータバスの中の、いずれかの端部側から連続するＮ本のデータバスを選択して、Ｎビットの画像データを出力する手段、を含むことを特徴とする画像出力装置。
【請求項４】
複数の画像表示装置に対して画像データを出力する装置であって、
複数の画像表示装置のうち一の画像表示装置に表示させるＮビットの画像データを並列的に出力する出力手段と、
前記一の画像表示装置とＬ本のデータバスで接続され、前記出力手段から出力されたＮビットの画像データを入力するとともに、入力したＮビットの画像データをＬ本のデータバスの中のいずれかのＮ本のデータバスを選択して並列的に出力するシフタと、を備えることを特徴とする画像出力装置。
【請求項５】
請求項４に記載の画像出力装置であって、
前記一の画像表示装置以外の他の一の画像表示装置は、前記Ｌ本のデータバス以外の他のＭ本のデータバスによって前記シフタに接続されており、前記他の一の画像表示装置にＮビットの画像データを表示させる際には、前記シフタが当該他の一の画像表示装置へと至るＭ本のデータバスの中からｎ本のデータバスを選択して並列的にＮビットの画像データを出力することを特徴とする画像出力装置。
【請求項６】
請求項５に記載の画像出力装置において、
前記複数の画像表示装置は、択一的にいずれか画像表示装置のみが画像を表示することを特徴とする画像出力装置。
【請求項７】
請求項６に記載の画像出力装置において、さらに、
いずれかの画像表示装置に画像データを出力する際には、その他の画像表示装置の電源をＯＦＦとするよう制御する手段、を備えることを特徴とする画像出力装置。
【請求項８】
２つの画像表示装置に対して画像データを出力する装置であって、
Ｎビットの画像データを並列的に出力する出力手段と、
一方の画像表示装置に接続されるＰ本のデータバスと、他方の画像表示装置に接続されるＱ本のデータバスとがそれぞれ接続されたシフタと、を備え、
前記シフタは、前記一方の画像表示装置にＮビットの画像データを出力する際には、前記出力手段が出力したＮビットの画像データを、前記Ｐ本のデータバスの中から選択したＮ本のデータバスに出力し、前記他方の画像表示装置にＮビットの画像データを出力する際には、前記出力手段が出力したＮビットの画像データを、前記Ｑ本のデータバスの中から選択したＮ本のデータバスに出力するよう切り替えることを特徴とする画像出力装置。
【請求項９】
請求項８に記載の画像出力装置において、
前記一の画像表示装置と前記他の画像表示装置とは、択一的にいずれか一方のみが画像を表示することを特徴とする画像出力装置。
【請求項１０】
請求項９に記載の画像出力装置において、さらに、
前記一方の画像表示装置に画像データを出力する際には、前記他方の画像表示装置の電源をＯＦＦとするよう制御する手段、を備えることを特徴とする画像出力装置。
【請求項１１】
請求項１ないし請求項１０のいずれかに記載の画像出力装置において、
前記画像表示装置は、
液晶表示装置、を含むことを特徴とする画像出力装置。
【発明の詳細な説明】
【０００１】
【発明の属する技術分野】
本発明は、画像表示装置に対して画像を出力する装置に関する。
【０００２】
【背景技術】
液晶表示装置（以下、ＬＣＤと略す。）などの画像表示装置には、複数のモードで動作するものが存在する。例えば、１６ビットモードでは６万５千色を表示可能とし、１８ビットモードでは２６万色を表示可能とするようなものである。
【０００３】
このように複数のモードで動作する画像表示装置は、たとえば携帯電話に用いられる。電話をかける際に、電話番号を表示するような場合や、メールの内容を表示させる場合には１６ビットモードで動作させ、動画像を表示させるような場合には１８ビットモードで動作させるなどの用途で用いられているのである。
【０００４】
一方、携帯電話の中には、画像表示装置を２つ備えたものが存在する。たとえば、折り畳み式の携帯電話において、内側にメインの画像表示装置が備えられ、外側に小さめの画像表示装置が備えられたタイプのものが存在する。
【０００５】
そして、携帯電話が折り畳まれた際には、外側の画像表示装置に画像が表示され、携帯電話を開けた際には、内側の画像表示装置に画像が表示される。つまり、２つの画像表示装置が択一的に画像を表示するものが存在する。
【０００６】
【発明が解決しようとする課題】
上記のように複数モードで動作する画像表示装置では、用途に応じて表示色数を変更することが可能である。ところが、ＬＣＤベンダーによって、これら複数モードの実現方法が異なる場合がある。図８は、２つのベンダーのＬＣＤの仕様を示す図である。図８（Ａ）は、ベンダーＡのＬＣＤ、図８（Ｂ）はベンダーＢのＬＣＤの仕様を示している。ベンダーＡおよびベンダーＢのＬＣＤは、いずれも１６ビットモードと１８ビットモードで動作可能である。
【０００７】
ベンダーＡおよびベンダーＢのＬＣＤはいずれも、１８ビットモードに対応するために１８個の入力端子Ｘ０〜Ｘ１７を備えている。そして、１８ビットモードで動作する場合には、いずれのＬＣＤもＸ０〜Ｘ１７の１８個の入力端子から１８ビットの画像を入力する。
【０００８】
これに対して、１６ビットのモードで動作する場合、ベンダーＡのＬＣＤは、Ｘ０〜Ｘ１５の１６個の入力端子から１６ビットの画像データを入力するのに対して、ベンダーＢのＬＣＤは、Ｘ２〜Ｘ１７の１６個の入力端子から１６ビットの画像データを入力するのである。
【０００９】
このため、画像データを出力する回路は、各ベンダーのＬＣＤの仕様にあわせた設計を行う必要があった。
【００１０】
一方、画像表示装置を２つ備え、択一的に一方の画像表示装置に画像を表示させる機器において、一方の画像表示装置に画像を表示させている場合にも、他方の画像表示装置の電源をＯＦＦにできないという問題があった。
【００１１】
図９は、２つの画像表示装置に画像データを出力する装置の従来例を示す図である。画像音声処理部１００は、画像音声処理ＣＰＵ１０１を備え、画像音声処理を専用に行うＬＳＩである。画像音声処理ＣＰＵ１０１が生成した画像データは、ＬＣＤ−Ｉ／Ｆ１０２を介して出力される。
【００１２】
ＬＣＤ−Ｉ／Ｆ１０２の出力端子Ｙ０〜Ｙ８には、９本のデータバスが接続されている。この９本のデータバスは、各データバスが途中で分岐し、一方の９本のデータバスは、第１ＬＣＤ１１０の入力端子Ｙ０〜Ｙ８に接続され、他方の９本のデータバスは、第２ＬＣＤ１２０の入力端子Ｙ０〜Ｙ８に接続されている。
【００１３】
そして、第１ＬＣＤ１１０に画像を表示させる際には、画像音声処理ＣＰＵ１０１から第１ＬＣＤ１１０に対して画像表示指示を送出することによって、第１ＬＣＤ１１０は、受信する画像データの出力処理を行う。この時、第２ＬＣＤ１２０には画像音声処理ＣＰＵ１０１よりイネーブル信号が送出されるので、表示処理は行われない。逆に、第２ＬＣＤ１２０に画像を表示させる際には、第１ＬＣＤ１１０にイネーブル信号が送出される。
【００１４】
ところが、第１ＬＣＤ１１０に画像を表示させている場合に、第２ＬＣＤ１２０の電源をＯＦＦとすると、第２ＬＣＤ１２０側に電流が吸い込まれる現象が発生するため、第１ＬＣＤ１１０に画像を表示させている場合にも、第２ＬＣＤ１２０の電源をＯＦＦとすることができなかった。同様に、第２ＬＣＤ１２０に画像を表示させている場合にも、第１ＬＣＤ１１０の電源をＯＦＦとすることができなかった。
【００１５】
そこで、本発明は前記問題点に鑑み、仕様の異なる画像表示装置に対しても適用可能な画像出力装置を提供すること、および、択一的に画像表示装置の電源をＯＦＦすることを可能とした画像出力装置を提供することを目的とする。
【００１６】
【課題を解決するための手段】
上記課題を解決するため、請求項１記載の発明は、画像表示装置に対して画像データを出力する装置であって、前記画像表示装置に表示させるＮビットの画像データを並列的に出力する出力手段と、前記出力手段から出力されたＮビットの画像データを並列的に入力する入力端子と前記入力端子と１対１に対応した出力端子とを備えるシフタと、を備え、前記シフタは、Ｎビットの画像データを入力した際、前記入力端子と前記出力端子との対応関係を変更して、Ｎビットの画像データを前記画像表示装置に対して並列的に出力する手段、を含むことを特徴とする。
【００１７】
請求項２記載の発明は、画像表示装置に対して画像データを出力する装置であって、前記画像表示装置に表示させるＮビットの画像データを並列的に出力する出力手段と、前記画像表示装置とＫ本のデータバスで接続され、前記出力手段から出力されたＮビットの画像データを入力するとともに、入力したＮビットの画像データをＫ本のデータバスの中のいずれかのＮ本のデータバスを選択して並列的に出力するシフタと、を備えることを特徴とする。
【００１８】
請求項３記載の発明は、請求項２に記載の画像出力装置において、前記シフタは、Ｋ本のデータバスの中の、いずれかの端部側から連続するＮ本のデータバスを選択して、Ｎビットの画像データを出力する手段、を含むことを特徴とする。
【００１９】
請求項４記載の発明は、複数の画像表示装置に対して画像データを出力する装置であって、複数の画像表示装置のうち一の画像表示装置に表示させるＮビットの画像データを並列的に出力する出力手段と、前記一の画像表示装置とＬ本のデータバスで接続され、前記出力手段から出力されたＮビットの画像データを入力するとともに、入力したＮビットの画像データをＬ本のデータバスの中のいずれかのＮ本のデータバスを選択して並列的に出力するシフタと、を備えることを特徴とする。
【００２０】
請求項５記載の発明は、請求項４に記載の画像出力装置であって、前記一の画像表示装置以外の他の一の画像表示装置は、前記Ｌ本のデータバス以外の他のＭ本のデータバスによって前記シフタに接続されており、前記他の一の画像表示装置にＮビットの画像データを表示させる際には、前記シフタが当該他の一の画像表示装置へと至るＭ本のデータバスの中からｎ本のデータバスを選択して並列的にＮビットの画像データを出力することを特徴とする。
【００２１】
請求項６記載の発明は、請求項５に記載の画像出力装置において、前記複数の画像表示装置は、択一的にいずれか画像表示装置のみが画像を表示することを特徴とする。
【００２２】
請求項７記載の発明は、請求項６に記載の画像出力装置において、さらに、いずれかの画像表示装置に画像データを出力する際には、その他の画像表示装置の電源をＯＦＦとするよう制御する手段、を備えることを特徴とする。
【００２３】
請求項８記載の発明は、２つの画像表示装置に対して画像データを出力する装置であって、Ｎビットの画像データを並列的に出力する出力手段と、一方の画像表示装置に接続されるＰ本のデータバスと、他方の画像表示装置に接続されるＱ本のデータバスとがそれぞれ接続されたシフタと、を備え、前記シフタは、前記一方の画像表示装置にＮビットの画像データを出力する際には、前記出力手段が出力したＮビットの画像データを、前記Ｐ本のデータバスの中から選択したＮ本のデータバスに出力し、前記他方の画像表示装置にＮビットの画像データを出力する際には、前記出力手段が出力したＮビットの画像データを、前記Ｑ本のデータバスの中から選択したＮ本のデータバスに出力するよう切り替えることを特徴とする。
【００２４】
請求項９記載の発明は、請求項８に記載の画像出力装置において、前記一の画像表示装置と前記他の画像表示装置とは、択一的にいずれか一方のみが画像を表示することを特徴とする。
【００２５】
請求項１０記載の発明は、請求項９に記載の画像出力装置において、さらに、前記一方の画像表示装置に画像データを出力する際には、前記他方の画像表示装置の電源をＯＦＦとするよう制御する手段、を備えることを特徴とする。
【００２６】
請求項１１記載の発明は、請求項１ないし請求項１０のいずれかに記載の画像出力装置において、前記画像表示装置は、液晶表示装置、を含むことを特徴とする。
【００２７】
【発明の実施の形態】
｛第１の実施の形態｝
以下、図面を参照しつつ本発明の第１の実施の形態について説明する。図１は、第１の実施の形態にかかる携帯電話機１の機能ブロック図を示している。携帯電話機１は、携帯電話機１の全体制御を行うＣＰＵ２、画像音声処理部３、ＲＡＭ４、ＬＣＤ５を備えている。
【００２８】
画像音声処理部３は、集積回路（ＬＳＩ）として構成されており、画像音声処理ＣＰＵ３１、ＬＣＤ−Ｉ／Ｆ３２、シフタ３３等を備えている。画像音声処理部３は、携帯電話機１がダウンロードした動画を再生する機能や、和音着信メロディーを再生する機能などを備えている。
【００２９】
この他、携帯電話機１は、音声通話に関わる機能部（マイク、スピーカ等）や、入力操作部等を備えているが、これら各機能部は図示省略している。なお、本実施の形態においては、本発明の主要部であるＬＣＤ−Ｉ／Ｆ３２およびシフタ３３が画像音声処理ＬＳＩに組み込まれている場合を例に説明しているが、本発明の主要部が画像専用処理ＬＳＩに組み込まれているような態様でもよい。また、必ずしも画像音声処理ＣＰＵ３１（あるいは画像処理ＣＰＵ）と同一のＬＳＩチップ内に配置される構成である必要もない。
【００３０】
この携帯電話機１は、通話時における番号表示やメール表示などを行う際には、１６ビットモードで画像表示を行う。すなわち、ＬＣＤ５に対して６万５千色の画像を表示するモードで動作する。一方、動画像を表示させる場合には、１８ビットモードで動作する。すなわち、ＬＣＤ５に対して２６万色の画像を表示するモードで動作する。
【００３１】
＜１６ビットモード＞
図２は、１６ビットモードで画像表示を行う場合の画像データの流れを示す図である。１６ビットモードで画像表示を行う場合、本実施の形態の携帯電話機１は、ＣＰＵ２が画像表示制御を行う。
【００３２】
ＣＰＵ２は、ＬＣＤ５に表示させる画像データを生成し、ＣＰＵ２周辺のＲＡＡＭ等に格納する。この画像データは、１画素を１６ビットで表現した画像データ、つまり、６万５千色を表現可能な画像データである。
【００３３】
ＣＰＵ２は、生成した１６ビットの画像データをＣＰＵ２の出力端子Ａ０〜Ａ１５から出力する。この１６ビットの画像データは、１６個の出力端子Ａ０〜Ａ１５に接続された１６本のデータバスを並列的に転送され、この１６本のデータバスに接続されたＬＣＤ−Ｉ／Ｆ３２の入力端子Ｂ０〜Ｂ１５に入力される。なお、本実施の形態において、ＣＰＵ２とＬＣＤ−Ｉ／Ｆ３２の間は、１６本のデータバスで接続されているものとする。
【００３４】
ＬＣＤ−Ｉ／Ｆ３２は、入力端子Ｂ０〜Ｂ１５から入力した１６ビットの画像データを、入力端子Ｂ０〜Ｂ１５にそれぞれ対応した出力端子Ｃ０〜Ｃ１５から出力する。１６ビットの画像データは、１６個の出力端子Ｃ０〜Ｃ１５に接続された１６本のデータバスを並列的に転送され、この１６本のデータバスに接続されたシフタ３３の入力端子Ｄ０〜Ｄ１５に入力される。なお、ＬＣＤ−Ｉ／Ｆ３２とシフタ３３との間には、実際には、１６本より多いデータバスが存在している構成でもよい。ここでは、少なくとも１６本のデータバスが存在していればよい。
【００３５】
シフタ３３は、入力端子Ｄ０〜Ｄ１５から入力した１６ビットの画像データを、入力端子Ｄ０〜Ｄ１５にそれぞれ対応した出力端子Ｅ０〜Ｅ１５から出力する。このように、この１６ビットモードでは、シフタ３３は入力端子と出力端子の対応関係を変更することはない。つまり、入力端子から入力した画像データのデータ順は変更されることなく、それぞれ対応した出力端子からそのまま出力されるのである。１６ビットの画像データは、１６個の出力端子Ｅ０〜Ｅ１５に接続された１６本のデータバスを並列的に転送され、この１６本のデータバスに接続されたＬＣＤ５の入力端子Ｆ０〜Ｆ１５に入力される。
【００３６】
ＬＣＤ５は、１６ビットモードおよび１８ビットモードで動作可能なＬＣＤであるが、本実施の形態においてＬＣＤ５は、１６個の入力端子Ｆ０〜Ｆ１５を備えているものとする。したがって、１６ビットモードで動作する際には、全ての入力端子Ｆ０〜Ｆ１５を利用することによって、１６ビットの画像データを並列的に一度で受信することが可能である。
【００３７】
以上が、１６ビットの画像データのデータの流れであり、ＬＣＤ５には、１６ビットの画像が表示されるのである。
【００３８】
＜１８ビットモード＞
図３は、１８ビットモードで画像表示を行う場合の画像データの流れを示す図である。１８ビットモードで画像表示を行う場合、本実施の形態の携帯電話機１は、画像音声処理ＣＰＵ３１が画像表示制御を行う。もちろん、ＣＰＵ２によって１８ビットモードの画像表示制御を行うようにしてもよい。１８ビットモードにおいて画像音声処理ＣＰＵ３１が画像表示制御を行うようにしているのは、ＣＰＵ２の負荷を低減させるためである。特に、本実施の形態においては、ＣＰＵ２とＬＣＤ−Ｉ／Ｆ３２とを接続するデータバスの本数は１６本であるため、１８ビットの画像データを転送するために９ビットのデータ転送を２回行う必要がある。このような処理をＣＰＵ２に行わせた場合、ＣＰＵ２へのアクセス回数も倍となり、処理負荷が高くなるからである。このようにして、携帯電話機１の全体制御を行うＣＰＵ２に対する負荷を低減させている。
【００３９】
画像音声処理ＣＰＵ３１は、ＬＣＤ５に表示させる画像データを生成し、ＲＡＭ４に格納する。この画像データは、１画素を１８ビットで表現した画像データ、つまり、２６万色を表現可能な画像データである。
【００４０】
画像音声処理ＣＰＵ３１は、生成した１８ビットの画像データを画像音声処理ＣＰＵ３１の出力端子Ｇ０〜Ｇ１７から出力する。この１８ビットの画像データは、１８個の出力端子Ｇ０〜Ｇ１７に接続された１８本のデータバスを並列的に転送され、この１８本のデータバスに接続されたＬＣＤ−Ｉ／Ｆ３２の入力端子Ｂ０〜Ｂ１７に入力される。なお、画像音声処理ＣＰＵ３１とＬＣＤ−Ｉ／Ｆ３２との間は、１８本より多いデータバスが存在する構成であってもよい。ここでは、少なくとも１８本のデータバスが存在すればよい。
【００４１】
ここで、本実施の形態においては、画像音声処理部３とＬＣＤ５を接続するデータバス、すなわち、シフタ３３とＬＣＤ５を接続するデータバスは１６本であり、並列的に転送可能な画像データは１６ビットまでである。そこで、ＬＣＤ−Ｉ／Ｆ３２は、並列的に入力した１８ビットの画像データを、９ビットの２つの画像データに分割し、並列的に９ビットの画像データを２回出力する。
【００４２】
ＬＣＤ−Ｉ／Ｆ３２の出力端子Ｃ０〜Ｃ８から出力された９ビットの画像データは、９個の出力端子Ｃ０〜Ｃ８に接続された９本のデータバスを並列的に転送され、この９本のデータバスに接続されたシフタ３３の入力端子Ｄ０〜Ｄ８に入力される。
【００４３】
ここで、図３で示しているＬＣＤ５の仕様について説明する。ＬＣＤ５は、１６ビットモードにおいては、図２で示したように、１６本のデータバスを転送されてきた１６ビットの画像データを１６個の入力端子Ｆ０〜Ｆ１５から入力するよう設計されている。これに対して、１８ビットの画像データを入力する際には、９ビットの画像データを２回に分けて受信するよう設計されているが、その際、ＬＣＤ５は、入力端子Ｆ０〜Ｆ８から９ビットの画像データを入力するよう設計されているのである。
【００４４】
したがって、シフタ３３は、入力端子Ｄ０〜Ｄ８から入力した９ビットの画像データを、入力端子Ｄ０〜Ｄ８にそれぞれ対応した出力端子Ｅ０〜Ｅ８からそのまま出力する。ここで、入力端子Ｄｎ（ｎは整数）に対して出力端子Ｅｎが対応しているものとする。つまり、シフタ３３は、入力端子と出力端子の対応関係を変更することなく、そのまま画像データを出力するのである。
【００４５】
９ビットの画像データは、９個の出力端子Ｅ０〜Ｅ８に接続された９本のデータバスを並列的に転送され、この９本のデータバスに接続されたＬＣＤ５の入力端子Ｆ０〜Ｆ８に入力される。
【００４６】
ＬＣＤ５は、入力端子Ｆ０〜Ｆ８から入力した９ビットの画像を１回分バッファしておき、２回分の９ビットの画像データから１８ビットの画像データを生成し、画面出力するのである。このようにして、ＬＣＤ５は、１８ビットモードで動作することが可能である。
【００４７】
これに対して、図４は、ＬＣＤ５が別の仕様である場合のデータの流れを示している。
【００４８】
図４で示しているＬＣＤ５の仕様について説明する。ＬＣＤ５は、１６ビットモードにおいては、図２で示したように、１６本のデータバスを転送されてきた１６ビットの画像データを１６個の入力端子Ｆ０〜Ｆ１５から入力するよう設計されている。これに対して、１８ビットの画像データを入力する際には、９ビットの画像データを２回に分けて受信するよう設計されているが、その際、ＬＣＤ５は、入力端子Ｆ７〜Ｆ１５から９ビットの画像データを入力するよう設計されているのである。
【００４９】
したがって、シフタ３３は、入力端子と出力端子の対応関係を変更し、入力端子Ｄ０〜Ｄ８から入力した９ビットの画像データを、それぞれ出力端子Ｅ７〜Ｅ１５から出力するのである。
【００５０】
別の言い方をするならば、シフタ３３は、入力した９ビットの画像データを出力する出力端子を任意に選択する機能を備えている。シフタ３３は、シフタ３３の出力端子Ｅ０〜Ｅ１５に接続された１６本のデータバスの中から任意の９本を選択して９ビットの画像データを出力する機能を備えているのである。
【００５１】
９ビットの画像データは、９個の出力端子Ｅ７〜Ｅ１５に接続された９本のデータバスを並列的に転送され、この９本のデータバスに接続されたＬＣＤ５の入力端子Ｆ７〜Ｆ１５に入力される。
【００５２】
ＬＣＤ５は、入力端子Ｆ７〜Ｆ１５から入力した９ビットの画像を１回分バッファしておき、２回分の９ビットの画像データから１８ビットの画像データを生成し、画面出力するのである。
【００５３】
このように、本実施の形態によれば、画像音声処理部３（画像音声処理ＬＳＩ）に接続されるＬＣＤ５の仕様が異なる場合でも、シフタ３３における入力端子と出力端子の対応関係を変更するだけで、複数モードの画像表示に対応させることが可能となるのである。
【００５４】
｛第２の実施の形態｝
次に、本発明の第２の実施の形態について説明する。図５は、第２の実施の形態にかかる携帯電話機６の機能ブロック図を示している。携帯電話機６は、携帯電話機６の全体制御を行うＣＰＵ７、画像音声処理部８、ＲＡＭ９、第１ＬＣＤ１１、第２ＬＣＤ１２を備えている。
【００５５】
画像音声処理部８は、集積回路（ＬＳＩ）として構成されており、画像音声処理ＣＰＵ８１、ＬＣＤ−Ｉ／Ｆ８２、シフタ８３等を備えている。画像音声処理部８は、携帯電話機６がダウンロードした動画を再生する機能や、和音着信メロディーを再生する機能などを備えている。
【００５６】
この他、携帯電話機６は、音声通話に関わる機能部（マイク、スピーカ等）や、入力操作部等を備えているが、これら各機能部は図示省略している。なお、本実施の形態においては、本発明の主要部であるＬＣＤ−Ｉ／Ｆ８２およびシフタ８３が画像音声処理ＬＳＩに組み込まれている場合を例に説明しているが、本発明の主要部が画像専用処理ＬＳＩに組み込まれているような態様でもよい。また、必ずしも画像音声処理ＣＰＵ８１（あるいは画像処理ＣＰＵ）と同一のＬＳＩチップ内に配置される構成である必要もない。
【００５７】
この携帯電話機６は、２つのＬＣＤ（第１ＬＣＤ１１および第２ＬＣＤ１２）を択一的に使用するよう制御される。つまり、第１ＬＣＤ１１に画像が表示されている間は、第２ＬＣＤ１２は画像表示処理を行わない。逆に、第２ＬＣＤ１２に画像が表示されている間は、第１ＬＣＤ１１は画像表示処理は行わない。
【００５８】
２つのＬＣＤが択一的に使用される例としては、携帯電話機６が折り畳み式の電話機である場合が挙げられる。携帯電話機６が折り畳まれている状態では、外側の第１ＬＣＤ１１が使用され、携帯電話機６が開けられ、使用状態となっている場合には、内側の第２ＬＣＤ１２が使用されるといった例である。
【００５９】
また、第１の実施の形態と同様に、通話時における番号表示やメール表示などを行う際には、ＣＰＵ７が１６ビットモードで画像表示処理を実行することが可能であるが、本実施の形態においては説明を省略する。
【００６０】
＜第１ＬＣＤの使用時＞
図６は、１８ビットモードで第１ＬＣＤ１１に対して画像表示を行う場合の画像データの流れを示す図である。１８ビットモードで画像表示を行う場合、本実施の形態の携帯電話機６は、画像音声処理ＣＰＵ８１が画像表示制御を行う。もちろん、ＣＰＵ７が１８ビットモードで画像表示制御を行うようにしてもよいが、携帯電話機６の全体制御を行うＣＰＵ７の処理負荷を低減させるために、ここでは画像音声処理ＣＰＵ８１が画像表示制御を行うようにしている。
【００６１】
画像音声処理ＣＰＵ８１は、第１ＬＣＤ１１に表示させる画像データを生成し、ＲＡＭ９に格納する。この画像データは、１画素を１８ビットで表現した画像データ、つまり、２６万色を表現可能な画像データである。
【００６２】
画像音声処理ＣＰＵ８１は、生成した１８ビットの画像データを画像音声処理ＣＰＵ８１の出力端子Ｇ０〜Ｇ１７から出力する。この１８ビットの画像データは、１８個の出力端子Ｇ０〜Ｇ１７に接続された１８本のデータバスを並列的に転送され、この１８本のデータバスに接続されたＬＣＤ−Ｉ／Ｆ８２の入力端子Ｂ０〜Ｂ１７に入力される。なお、画像音声処理ＣＰＵ８１とＬＣＤ−Ｉ／８２との間は、１８本より多いデータバスが存在する構成であってもよい。
【００６３】
また、本実施の形態においては、画像音声処理部３と第１ＬＣＤ１１とを接続するデータバス、すなわち、シフタ８３と第１ＬＣＤ１１とを接続するデータバスは９本であり、並列的に転送可能な画像データは９ビットまでである。そこで、ＬＣＤ−Ｉ／Ｆ８２は、並列的に入力した１８ビットの画像データを、９ビットの２つの画像データに分割し、並列的に９ビットの画像データを２回出力する。
【００６４】
ＬＣＤ−Ｉ／Ｆ８２の出力端子Ｃ０〜Ｃ８から出力された９ビットの画像データは、９個の出力端子Ｃ０〜Ｃ８に接続された９本のデータバスを並列的に転送され、この９本のデータバスに接続されたシフタ８３の入力端子Ｄ０〜Ｄ８に入力される。
【００６５】
ここで、本実施の形態においては、シフタ８３の１８個の出力端子Ｅ０〜Ｅ１７のうち、９個の出力端子Ｅ０〜Ｅ８には、第１ＬＣＤ１１を接続する９本のデータバスが接続され、他の９個の出力端子Ｅ９〜Ｅ１７には、第２ＬＣＤ１２を接続する９本のデータバスが接続されている。
【００６６】
したがって、第１ＬＣＤ１１に画像を出力するために、シフタ８３は、入力端子Ｄ０〜Ｄ８から入力した９ビットの画像データを、入力端子Ｄ０〜Ｄ８にそれぞれ対応した出力端子Ｅ０〜Ｅ８からそのまま出力する。つまり、ここでは、シフタ８３は、入力端子と出力端子の対応関係を変更することなく、そのまま９ビットの画像データを出力するのである。
【００６７】
９ビットの画像データは、９個の出力端子Ｅ０〜Ｅ８に接続された９本のデータバスを並列的に転送され、この９本のデータバスに接続された第１ＬＣＤ１１の入力端子Ｈ０〜Ｆ８に入力される。
【００６８】
第１ＬＣＤ１１は、入力端子Ｈ０〜Ｈ８から入力した９ビットの画像を１回分バッファしておき、２回分の９ビットの画像データから１８ビットの画像データを生成し、画面出力するのである。
【００６９】
＜第２ＬＣＤの使用時＞
次に、第２ＬＣＤ１２に画像を表示させる場合の処理について説明する。図７は、１８ビットモードで第２ＬＣＤ１２に対して画像表示を行う場合の画像データの流れを示す図である。１８ビットモードで画像表示を行う場合、本実施の形態の携帯電話機６は、画像音声処理ＣＰＵ８１が画像表示制御を行う。この場合も同様に、ＣＰＵ７が１８ビットモードで画像表示制御を行うようにしてもよい。
【００７０】
画像音声処理ＣＰＵ８１は、第２ＬＣＤ１２に表示させる画像データを生成し、ＲＡＭ９に格納する。この画像データは、１画素を１８ビットで表現した画像データ、つまり、２６万色を表現可能な画像データである。
【００７１】
画像音声処理ＣＰＵ８１は、生成した１８ビットの画像データを画像音声処理ＣＰＵ８１の出力端子Ｇ０〜Ｇ１７から出力する。この１８ビットの画像データは、１８個の出力端子Ｇ０〜Ｇ１７に接続された１８本のデータバスを並列的に転送され、この１８本のデータバスに接続されたＬＣＤ−Ｉ／Ｆ８２の入力端子Ｂ０〜Ｂ１７に入力される。
【００７２】
また、本実施の形態において、画像音声処理部３と第２ＬＣＤ１２とを接続するデータバス、すなわち、シフタ８３と第２ＬＣＤ１２とを接続するデータバスは９本であり、並列的に転送可能な画像データは９ビットまでである。そこで、ＬＣＤ−Ｉ／Ｆ８２は、並列的に入力した１８ビットの画像データを、９ビットの２つの画像データに分割し、並列的に９ビットの画像データを２回出力する。
【００７３】
ＬＣＤ−Ｉ／Ｆ８２の出力端子Ｃ０〜Ｃ８から出力された９ビットの画像データは、９個の出力端子Ｃ０〜Ｃ８に接続された９本のデータバスを並列的に転送され、この９本のデータバスに接続されたシフタ８３の入力端子Ｄ０〜Ｄ８に入力される。
【００７４】
そして、前述の如く、シフタ８３の１８個の出力端子Ｅ０〜Ｅ１７のうち、９個の出力端子Ｅ９〜Ｅ１７が、第２ＬＣＤ１２とを接続する９本のデータバスに接続されているので、シフタ８３は、入力端子Ｄ０〜Ｄ８から入力した９ビットの画像データを、出力端子Ｅ９〜Ｅ１７から出力する。つまり、シフタ８３は、第２ＬＣＤ１２に画像データを出力する際には、入力端子と出力端子の対応関係を変更してデータ出力するのである。別の言い方をすれば、シフタ８３は、入力した画像データを出力するデータバスを任意に選択することが可能である。シフタ８３は、出力端子Ｅ０〜Ｅ１７に接続された１８本のデータバスの中から９本のデータバスを選択して９ビットの画像データを出力可能としているのである。
【００７５】
９ビットの画像データは、９個の出力端子Ｅ９〜Ｅ１７に接続された９本のデータバスを並列的に転送され、この９本のデータバスに接続された第２ＬＣＤ１２の入力端子Ｋ０〜Ｋ８に入力される。
【００７６】
第２ＬＣＤ１２は、入力端子Ｋ０〜Ｋ８から入力した９ビットの画像を１回分バッファしておき、２回分の９ビットの画像データから１８ビットの画像データを生成し、画面出力するのである。
【００７７】
このように、本実施の形態によれば、画像音声処理部８（画像音声処理ＬＳＩ）に接続される２つのＬＣＤ１１，１２に対して択一的に画像データを転送することが可能である。
【００７８】
そして、第１ＬＣＤ１１と第２ＬＣＤ１２とは、それぞれシフタ８３の異なる出力端子に接続されているので、ＬＣＤ１１，１２が電気的に分断されている。したがって、第１ＬＣＤ１１に画像データを出力している間は、第２ＬＣＤ１２の電源をＯＦＦとすることが可能である。同様に、第２ＬＣＤ１２に画像データを出力している間は、第１ＬＣＤ１１の電源をＯＦＦとすることが可能である。
【００７９】
したがって、第１ＬＣＤ１１に画像表示させる動作状態においては、ＣＰＵ７（あるいは画像音声処理ＣＰＵ８１）は、第２ＬＣＤ１２の電源をＯＦＦとする制御を実行する。逆に、第２ＬＣＤ１２に画像表示させる動作状態においては、第１ＬＣＤ１１の電源をＯＦＦとする制御を実行することが可能である。
【００８０】
以上、第２の実施の形態においては、シフタ８３が１８個の出力端子Ｅ０〜Ｅ１７を備え、この出力端子を２分して一方を第１ＬＣＤ１１、他方を第２ＬＣＤ１２に接続するようにしたが、シフタ８３の出力端子の一部が使用されるような態様であってもよい。たとえば、シフタ８３が１８個より多い（たとえば２４個など）出力端子を備え、その一部として第１ＬＣＤ１１用に９個の出力端子を使用し、第２ＬＣＤ１２用に９個の出力端子を使用するような態様であってもよい。
【００８１】
また、第１ＬＣＤ１１あるいは第２ＬＣＤ１２を接続するデータバスの本数が９本より多い態様であってもよい。つまり、実際に流れるデータのビット数よりも多いデータバスで接続されているような態様であってもよい。この場合には、シフタがＬＣＤの仕様にあわせて、適切な出力端子から画像データを出力するように切り替え制御すればよい。
【００８２】
また、シフタ８３の出力端子数を増やすことにより、３つ以上のＬＣＤを接続するような態様であってもよい。
【００８３】
【発明の効果】
以上説明したように、請求項１記載の発明では、シフタが入力端子と出力端子の対応関係を変更して画像データを並列的に出力可能としたので、画像表示装置の仕様にあわせて画像データの出力制御を行うことが可能である。
【００８４】
請求項２記載の発明では、画像表示装置を接続する複数のデータバスの中から選択したデータバスに画像データを出力するので、画像表示装置の仕様にあわせて画像データの出力制御を行うことが可能である。
【００８５】
請求項３記載の発明では、画像データをいずれかの端部側のデータバスから出力するので、異なる仕様の画像表示装置に対しても適用可能である。
【００８６】
請求項４記載の発明では、複数の画像表示装置が接続される構成において、対象となる画像表示装置に画像データを転送可能である。
【００８７】
請求項５記載の発明では、異なる画像表示装置は、異なるデータバスに接続されるので、各画像表示装置を電気的に分断することが可能である。
【００８８】
請求項６記載の発明では、択一的に１つの画像表示装置に画像を表示させるので、画像表示を行わない画像表示装置に対して画像データが転送されることはない。
【００８９】
請求項７記載の発明では、画像表示を行わない画像表示装置の電源をＯＦＦとするので、省電力化を図ることが可能である。
【００９０】
請求項８記載の発明では、２つの画像表示装置に対してそれぞれ異なるデータバスを使用して画像データを転送可能である。
【００９１】
請求項９記載の発明では、２つの画像表示装置に対して択一的に画像を表示させるので、画像表示を行わない画像表示装置に対して画像データが転送されることはない。
【００９２】
請求項１０記載の発明では、画像表示を行わない画像表示装置の電源をＯＦＦとするので、省電力化を図ることが可能である。
【００９３】
請求項１１記載の発明では、画像表示装置は液晶表示装置を含むので、様々な機器に適用可能である。
【図面の簡単な説明】
【図１】本発明の第１の実施の形態にかかる携帯電話機の機能ブロック図である。
【図２】１６ビットモードにおける画像データの流れを示す図である。
【図３】第１の仕様のＬＣＤに対して１８ビット画像を表示する際の画像データの流れを示す図である。
【図４】第２の仕様のＬＣＤに対して１８ビット画像を表示する際の画像データの流れを示す図である。
【図５】本発明の第２の実施の形態にかかる携帯電話機の機能ブロック図である。
【図６】第１ＬＣＤに対して１８ビット画像を表示する際の画像データの流れを示す図である。
【図７】第２ＬＣＤに対して１８ビット画像を表示する際の画像データの流れを示す図である。
【図８】異なるモードで動作するＬＣＤにおける入力端子と入力される画像データとの関係を示す図である。
【図９】複数のＬＣＤが接続された従来タイプの画像出力装置を示す図である。
【符号の説明】
１        携帯電話機
３        画像音声処理部（画像音声処理ＬＳＩ）
５        ＬＣＤ
３１      画像音声処理ＣＰＵ
３２      ＬＣＤ−Ｉ／Ｆ
３３      シフタ
【図１】
2005031125.tif 000003
【図２】
2005031125.tif 000004
【図３】
2005031125.tif 000005
【図４】
2005031125.tif 000006
【図５】
2005031125.tif 000007
【図６】
2005031125.tif 000008
【図７】
2005031125.tif 000009
【図８】
2005031125.tif 000010
【図９】
2005031125.tif 000011